【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
メモリのためのレジスタリングクロックドライブ(RCD)にシングルデータレート(SDR)モードまたはダブルデータレート(DDR)モードを実現するための方法であって、
1つまたは複数のデータレートモード選択基準を決定するステップと、
前記1つまたは複数のデータレートモード選択基準に基づいて、コマンド/アドレス(CA)バスにデータレートモードを選択するステップであって、前記1つまたは複数のデータレートモード選択基準は、アクセス統計またはアドレス相関メトリックを使用して定量化されるデータトラフィック特性のうち1つを含む、選択するステップと、
前記データレートモードに対するホストインターフェースを構成するステップと、
前記データレートモードに対する前記レジスタリングクロックドライブ(RCD)のRCD入力インターフェースを構成するステップと
を含む、方法。
【請求項２】
前記データレートモードは、前記SDRモードまたは前記DDRモードのうちの1つである、
請求項1に記載の方法。
【請求項３】
前記ホストインターフェースが、入力バスを介して前記レジスタリングクロックドライブ(RCD)に接続するためのホストの出力部である、請求項2に記載の方法。
【請求項４】
前記RCD入力インターフェースが、前記入力バスを介して前記ホストに接続するための前記レジスタリングクロックドライブ(RCD)の入力部である、請求項3に記載の方法。
【請求項５】
前記データレートモードが初期化で設定され、かつセッション全体を通して変化しないままである、請求項1に記載の方法。
【請求項６】
前記データレートモードが、セッション全体を通して前記SDRモードと前記DDRモードとの間で可変である、請求項1に記載の方法。
【請求項７】
クロック信号を使用して、前記ホストインターフェースと前記RCD入力インターフェースとの間でデータを転送するステップをさらに含む、請求項1に記載の方法。
【請求項８】
前記データを転送するステップが書込み動作を含む、請求項7に記載の方法。
【請求項９】
前記データを転送するステップが読取り動作を含む、請求項7に記載の方法。
【請求項１０】
前記データがコマンドまたはアドレスを含む、請求項7に記載の方法。
【請求項１１】
1Nモードまたは2Nモードのいずれかで前記クロック信号を使用してRCD出力インターフェースから前記データを転送するステップをさらに含み、前記1Nモードはすべてのクロックエッジで前記データを転送し、前記2Nモードは1つおきのクロックエッジで前記データを転送する、請求項7に記載の方法。
【請求項１２】
前記RCD出力インターフェースが、出力バスを介した前記メモリへの前記RCDの出力部である、請求項11に記載の方法。
【請求項１３】
前記メモリが、ダイナミックランダムアクセスメモリ(DRAM)である、請求項12に記載の方法。
【請求項１４】
前記ホストインターフェース上および前記RCD入力インターフェース上で前記クロック信号をアクティブ化するステップをさらに含む、請求項7に記載の方法。
【請求項１５】
クロック信号を使用して前記ホストインターフェース上でデータ転送を開始するために前記ホストインターフェースを構成するステップをさらに含む、請求項1に記載の方法。
【請求項１６】
前記クロック信号を使用して前記RCD入力インターフェース上でデータ受信を開始するために前記RCD入力インターフェースを構成するステップをさらに含む、請求項15に記載の方法。
【請求項１７】
前記1つまたは複数のデータレートモード選択基準が、バースト長、読取り/書込み比率、レイテンシ、ページクラスタリング、ストリーミング特性、またはdc電力制約のうちの少なくとも1つを含む、請求項1に記載の方法。
【請求項１８】
メモリのためのレジスタリングクロックドライブ(RCD)にシングルデータレート(SDR)モードまたはダブルデータレート(DDR)モードを実現するための装置であって、
1つまたは複数のデータレートモード選択基準に基づいて、コマンド/アドレス(CA)バスにデータレートモードを選択し、前記データレートモードに対するホストインターフェースを構成し、前記データレートモードに対するRCD入力インターフェースを構成し、前記1つまたは複数のデータレートモード選択基準は、アクセス統計またはアドレス相関メトリックを使用して定量化されるデータトラフィック特性のうち1つを含む、メモリコントローラと、
前記メモリコントローラに結合されたクロックジェネレータであって、前記ホストインターフェース上および前記RCD入力インターフェース上でクロック信号をアクティブ化する、クロックジェネレータと、
前記メモリコントローラに結合されたホストであって、前記クロック信号を使用して、前記ホストインターフェースと前記RCD入力インターフェースとの間でデータを転送する、ホストと
を備える、装置。
【請求項１９】
前記メモリコントローラに結合されたレジスタリングクロックドライブ(RCD)をさらに備え、前記RCDが、1Nモードまたは2Nモードのいずれかで前記クロック信号を使用してRCD出力インターフェースから前記データを転送し、前記1Nモードはすべてのクロックエッジで前記データを転送し、前記2Nモードは1つおきのクロックエッジで前記データを転送する、請求項18に記載の装置。
【請求項２０】
前記ホストが前記ホストインターフェースを備え、前記レジスタリングクロックドライブ(RCD)が、前記RCD入力インターフェースと前記RCD出力インターフェースとを備える、請求項19に記載の装置。
【請求項２１】
前記データレートモードは、前記SDRモードまたは前記DDRモードのうちの1つである、請求項18に記載の装置。
【請求項２２】
前記データレートモードが初期化で設定され、かつセッション全体を通して変化しないままである、請求項21に記載の装置。
【請求項２３】
前記データレートモードが、セッション全体を通して前記SDRモードと前記DDRモードとの間で可変である、請求項21に記載の装置。
【請求項２４】
メモリのためのレジスタリングクロックドライブ(RCD)にシングルデータレート(SDR)モードまたはダブルデータレート(DDR)モードを実現するための装置であって、
1つまたは複数のデータレートモード選択基準を決定するための手段と、
前記1つまたは複数のデータレートモード選択基準に基づいて、コマンド/アドレス(CA)バスにデータレートモードを選択するための手段であって、前記1つまたは複数のデータレートモード選択基準は、アクセス統計またはアドレス相関メトリックを使用して定量化されるデータトラフィック特性のうち1つを含む、選択するための手段と、
前記データレートモードに対するホストインターフェースを構成するための手段と、
前記データレートモードに対する前記レジスタリングクロックドライブ(RCD)のRCD入力インターフェースを構成するための手段と
を含む装置。
【請求項２５】
前記ホストインターフェース上および前記RCD入力インターフェース上でクロック信号をアクティブ化するための手段と、
前記クロック信号を使用して前記ホストインターフェースから前記RCD入力インターフェースへデータを転送するための手段と、
をさらに含む請求項24に記載の装置。
【請求項２６】
1Nモードまたは2Nモードのいずれかで前記クロック信号を使用してRCD出力インターフェースから前記データを転送するための手段をさらに含み、
前記1Nモードはすべてのクロックエッジで前記データを転送し、前記2Nモードは1つおきのクロックエッジで前記データを転送する、請求項25に記載の装置。
【請求項２７】
前記データレートモードは、前記SDRモードまたは前記DDRモードのうちの1つである、
請求項24に記載の装置。
【請求項２８】
少なくとも1つのプロセッサおよび前記少なくとも1つのプロセッサに結合された少なくとも1つのメモリを備えるデバイス上で動作可能な、コンピュータ実行可能コードを記憶するコンピュータ可読記録媒体であって、前記少なくとも1つのプロセッサが、メモリのためのレジスタリングクロックドライブ(RCD)にシングルデータレート(SDR)モードまたはダブルデータレート(DDR)モードを実現するように構成され、前記コンピュータ実行可能コードが、
コンピュータに、1つまたは複数のデータレートモード選択基準を決定させるための命令と、
前記コンピュータに、前記1つまたは複数のデータレートモード選択基準に基づいて、コマンド/アドレス(CA)バスにデータレートモードを選択させるための命令であって、前記1つまたは複数のデータレートモード選択基準は、アクセス統計またはアドレス相関メトリックを使用して定量化されるデータトラフィック特性のうち1つを含む、選択させるための命令と、
前記コンピュータに、前記データレートモードに対するホストインターフェースを構成させるための命令と、
前記コンピュータに、前記データレートモードに対する前記レジスタリングクロックドライブ(RCD)のRCD入力インターフェースを構成させるための命令と、
を含む、コンピュータ可読記録媒体。
【請求項２９】
前記コンピュータに、前記ホストインターフェース上および前記RCD入力インターフェース上でクロック信号をアクティブ化させるための命令と、
前記コンピュータに、前記クロック信号を使用して前記ホストインターフェースから前記RCD入力インターフェースへデータを転送させるための命令と、
をさらに含み、
前記データレートモードは、前記SDRモードまたは前記DDRモードのうちの1つである、
請求項28に記載のコンピュータ可読記録媒体。
【請求項３０】
前記コンピュータに、1Nモードまたは2Nモードのいずれかで前記クロック信号を使用してRCD出力インターフェースから前記データを転送させるための命令を含み、
前記1Nモードはすべてのクロックエッジで前記データを転送し、前記2Nモードは1つおきのクロックエッジで前記データを転送する、
請求項29に記載のコンピュータ可読記録媒体。